(57)【特許請求の範囲】
【請求項１】
造成用基盤に摂食ダメージの大きい藻食性魚類の侵入を阻止し得る保護網などの多孔状の保護カバーを付設し、該保護カバーによって囲まれた藻食性魚類から保護される海藻の保護空間を設けるとともに、前記保護カバーの下部に前記造成用基盤の外側面との間に間隙を設けて藻食性の匍匐性水産生物が匍匐進入可能な下部開口部を形成し、該下部開口部及び該下部開口部の上方に連なる前記保護カバーと前記造成用基盤の外側面との間に形成されるほぼ垂直方向の間隙を介して下方から、前記藻食性魚類より摂食ダメージの小さいアワビやサザエ等の藻食性の匍匐性水産生物の前記保護カバー内への匍匐進入を許容し、藻食性魚類の侵入は阻止する通用部を設けたことを特徴とする藻場造成用構造物。
【請求項２】
前記保護カバー内に移植用海藻種苗を設置したことを特徴とする請求項１に記載の藻場造成用構造物。
【発明の詳細な説明】
【技術分野】
【０００１】
本発明は、藻場造成用構造物において生育する海藻をアイゴ、イスズミ、ブダイ等の藻食性魚類の食害から保護するとともに、その藻食性魚類の食害から保護された海藻の保護空間をアワビやサザエ等の藻食性の匍匐性水産生物に対する餌料場としても選択的に提供する藻場造成技術に関する。
【背景技術】
【０００２】
沿岸部の藻場が消滅する所謂磯焼けの要因としてアイゴ、イスズミ、ブダイ等の藻食性魚類による海藻に対する食害が問題となっている。すなわち、この種の藻食性魚類による海藻の摂食量や摂食速度に基づく海藻に対するいわゆる摂食圧は、アワビやサザエ等の藻食性の匍匐性水産生物に比べて非常に大きく、海藻に与えるダメージ（摂食ダメージ）も大きいことから磯焼けの大きな要因と考えられる。そして、この磯焼けにより水産上きわめて有用なアワビやサザエ等の藻食性の匍匐性水産生物の生息域が縮小され、漁獲量も減少しているのが実状である。その対策として、造成用基盤に海藻の幼芽を基質に着生した状態で付設するとともに、前記幼芽を保護かごで囲むことにより、幼芽の生育を藻食性魚介類による食害から保護する藻場の造成技術が知られている（特許文献１参照）。ところで、この従来技術の場合には、海藻の幼芽が藻食性魚介類の食害を受けても生長を続けられる程度の大きさ（３０〜４０ｃｍ程度）に生長した時点で保護かごは撤去するという手法が採用されている。したがって、幼芽から所定の生長時点までは、前記保護かごによってアワビやサザエ等の藻食性の匍匐性水産生物も含めて藻食性魚介類の侵入が阻止され、また所定の生長時点以後は、保護かごが撤去されることから、生長した造成用の海藻は、アイゴ、イスズミ、ブダイ等の藻食性魚類を含めて藻食性魚介類の食害の前に晒されることになった。すなわち、前記従来技術は、アワビやサザエ等の藻食性の匍匐性水産生物に対して選択的に対応するための機能は有していなかった。そして、アイゴ、イスズミ、ブダイ等の藻食性魚類の海藻に対する食害は、前述のように磯焼けの要因にもなる程の大きなダメージを生じるため、藻場造成上の確実性にも大きな問題を残していた。
【特許文献１】特公平２−２０２１１号公報
【発明の開示】
【発明が解決しようとする課題】
【０００３】
本発明は、以上のような従来の技術的状況に鑑みて開発したもので、移植用海藻種苗や生長した海藻を藻食性魚類の食害から永続的に保護するとともに、その食害から保護された空間をアワビやサザエ等の藻食性の匍匐性水産生物に対する餌料場としても選択的に提供し得る藻場造成用構造物を提供することを目的とする。
【課題を解決するための手段】
【０００４】
本発明では、前記課題を解決するため、造成用基盤に保護網などの多孔状の保護カバーで囲んで藻食性魚類から保護する海藻の保護空間を設けて、摂食ダメージの大きい藻食性魚類の侵入を阻止する一方、前記藻食性魚類より摂食ダメージの小さいアワビやサザエ等の藻食性の匍匐性水産生物の前記保護カバー内への進入を許容し、藻食性魚類の侵入は阻止する通用部を設けて、前記保護カバー内をアワビやサザエ等の藻食性の匍匐性水産生物に対する餌料場として提供するという技術手段を採用した。そして、その具体的な藻場造成用構造物として、造成用基盤に摂食ダメージの大きい藻食性魚類の侵入を阻止し得る保護網などの多孔状の保護カバーを付設し、該保護カバーによって囲まれた藻食性魚類から保護される海藻の保護空間を設けるとともに、前記保護カバーの下部に前記造成用基盤の外側面との間に間隙を設けて藻食性の匍匐性水産生物が匍匐進入可能な下部開口部を形成し、該下部開口部及び該下部開口部の上方に連なる前記保護カバーと前記造成用基盤の外側面との間に形成されるほぼ垂直方向の間隙を介して下方から、前記藻食性魚類より摂食ダメージの小さいアワビやサザエ等の藻食性の匍匐性水産生物の前記保護カバー内への匍匐進入を許容し、藻食性魚類の侵入は阻止する通用部を設けるという技術手段を採用した。
【発明の効果】
【０００５】
本発明によれば、次の効果を得ることができる。
（１）保護カバーにより囲まれた保護空間内の移植用海藻種苗や自然着生した生長過程の海藻及びそれらの生長海藻は、摂食ダメージの大きい藻食性魚類の食害から確実かつ永続的に保護される。
（２）したがって、藻場造成上の確実性が大幅に向上されるとともに、造成後には、前記保護カバーによって囲まれた保護空間内の海藻が核として機能し、藻場の永続性にもきわめて有効である。
（３）また、前記保護カバーにより囲まれた保護空間は、摂食ダメージの小さいアワビやサザエ等の藻食性の匍匐性水産生物の進入を許容し、藻食性魚類の侵入は阻止する通用部を介して餌料場として提供されることから、水産上きわめて有効である。
（４）しかも、アワビやサザエ等の藻食性の匍匐性水産生物に対して選択的に保護カバー内への進入を許容する通用部として、その保護カバーの下部に造成用基盤の外側面との間に間隙を設けて藻食性の匍匐性水産生物が匍匐進入可能な下部開口部を形成するとともに、その下部開口部の上方に前記保護カバーと前記造成用基盤の外側面との間に形成されるほぼ垂直方向の間隙を介して前記匍匐性水産生物の匍匐進入を許容するという形態を採用したので、簡単な構成にも拘らず、アイゴ、イスズミ、ブダイ等の藻食性魚類の場合には、前記造成用基盤の外側面近傍の限られた場所で泳ぎながら進行方向を垂直方向に変換して狭い前記下部開口部を介して入り込まなければならないことから、その保護カバー内への侵入は容易ではなくこれを効果的に防止できる一方、アワビやサザエ等の藻食性の匍匐性水産生物に対しては、前記造成用基盤の外側面に沿って匍匐し、前記下部開口部及び該下部開口部の上方に連なるほぼ垂直方向の間隙を介して前記保護カバー内へ匍匐進入することを許容することができる。すなわち、保護カバーの下部に造成用基盤の外側面との間に間隙を設けるという簡単な構成によって、摂食ダメージの大きい藻食性魚類の保護カバー内への侵入を防ぎながら、摂食ダメージの小さい藻食性の匍匐性水産生物の匍匐進入を選択的に許容する通用部を容易に形成することができる。
（５）さらに、その保護カバーの下部の造成用基盤の外側面との間隙を通じて、生長後落下した海藻が保護カバーの外部へ容易に流出し得るので、外部のアワビやサザエ等の餌料として供することも可能である。
【発明を実施するための最良の形態】
【０００６】
本発明は、海藻の種類には限定されることなく、種々の移植用海藻種苗を用いた藻場の造成に広く適用することができる。また、造成用基盤に設ける保護カバーによって囲まれた保護空間内に予め移植用海藻種苗を設置して藻場造成を図る形態でも、保護空間内に移植用海藻種苗を設置することなく自然着生により藻場造成を図る形態でも広く適用することが可能である。要は、造成用基盤に保護カバーにより囲まれた保護空間を設けることによって構成される、本発明に係る藻場造成用構造物を海底に沈設することにより、その保護カバーによって囲まれた保護空間内に海藻が生育して藻場の永続性に有効に機能するものであれば、適用が可能である。さらに、前記造成用基盤の形状や大きさに関しても特段の制約はなく、コンクリートや海底に沈設可能な適宜の合成材などにより形成することができる。藻場造成用構造物の設置量に関しては、当該海域におけるアワビやサザエ等の藻食性の匍匐性水産生物による摂食ダメージを勘案して、藻場の造成上支障の生じない設置量とする必要がある。海藻を藻食性魚類の食害から保護するための保護カバーは、種々の網材から形成される保護網のほか、海水が流通可能な多孔状の部材から構成されるものであれば、特段の制約はなく広い適用が可能である。保護カバー内への通用部は、藻食性魚類の侵入を阻止する一方、アワビやサザエ等の藻食性の匍匐性水産生物の前記保護カバー内への匍匐進入を許容する造成用基盤と保護カバーとの間隙によって形成したものが採用される。なお、その通用部の設置位置は、匍匐性水産生物が匍匐進入することから、海底に近い部位が好適である。また、その通用部からの藻食性魚類の侵入をより確実に排除するため、通用部の外側近傍に捨石を置くのも有効である。
【実施例１】
【０００７】
図１は本発明に関する第１実施例の設置状態を示した説明図である。なお、以下の各実施例においては移植用海藻種苗を設置する場合に関して説明するが、各実施例において移植用海藻種苗を設置することなく藻場造成用構造物を海底に沈設して藻場造成を図ることも可能である。図示のように、第１実施例では、比較的高さの低い大径の円柱状からなるコンクリート製の造成用基盤１を採用し、その造成用基盤１の上端面に設置した４本の柱状体２を介して移植用海藻種苗３を付設した場合を示した。この造成用基盤１に対しては、その造成用基盤１の外側面との間に、通用部として藻食性魚類の侵入を阻止する一方、アワビやサザエ等の藻食性の匍匐性水産生物が進入可能な間隙を設けた状態で、前記４本の柱状体２の全体を囲むように保護網４を設置している。すなわち、本実施例においては、造成用基盤１に対して移植用海藻種苗３を付設した柱状体２を囲むように保護網４を設置し、その造成用基盤１の上方に保護空間を設けることにより藻場造成用構造物を構成した場合を示したものである。因みに、保護網４の網目の大きさは、アイゴ、イスズミ、ブダイ等の藻食性魚類の侵入を阻止し得る大きさに設定されることはいうまでもない。なお、図中５は海藻、６はアワビ、７は捨石である。
【０００８】
しかして、前記造成用基盤１の柱状体２に付設された移植用海藻種苗３は、保護網４によってアイゴ、イスズミ、ブダイ等の摂食圧（摂食ダメージ）の大きい藻食性魚類の食害から的確に保護される。この場合、アワビ６等の藻食性の匍匐性水産生物は、図示のように保護網４と造成用基盤１の外側面との間隙から匍匐進入して移植用海藻種苗３を捕食することになるが、前述のように匍匐性水産生物の海藻に対する摂食圧（摂食ダメージ）は藻食性魚類に比べて非常に小さく、また移植用海藻種苗３は柱状体２により造成用基盤１の上面から離間した部位に付設されることから、移植用海藻種苗３に対する食害はそれほど大きくない。したがって、造成用基盤１の設置量の選定によって造成の確実性を充分確保することができる。そして、移植用海藻種苗３が生長して造成が完了した場合には、その移植用海藻種苗３やその後の着生海藻から生長した海藻５がやがて造成用基盤１上に落ち、図示のように保護網４と造成用基盤１の外側面との間隙などを通じて保護網４の外部へ流出してアワビやサザエ等の餌料となり得る。また、藻食性魚類の食害から保護された保護網４の内部の保護空間は、造成後も引続きアワビやサザエ等の藻食性の匍匐性水産生物に対する餌料提供場として機能することになる。さらに、保護網４内の海藻は、藻場の永続性を助勢する核としても機能し得ることになる。
【０００９】
図２〜図７は前記実施例の設置の手順を示した作業説明図である。図２は前記造成用基盤１を示した斜視図であり、図示のように造成用基盤１としては、大径（直径Ｄａ）で比較的高さの低い円柱状からなるコンクリート製のものを用い、その上端面に４本の柱状体２を立設している。図３は付設前の前記移植用海藻種苗３を拡大して示した斜視図であり、図示のように取付バンド８に対して多数の移植用海藻種苗３を装着している。図４は移植用海藻種苗３を柱状体２に取付けた状態を拡大して示した斜視図であり、図示のように移植用海藻種苗３は、取付バンド８を柱状体２の上部に形成された凹溝部に係合させた状態で取付けられる。図５はその移植用海藻種苗３の取付後の状態を示した造成用基盤１の斜視図である。図６は前記保護網４を示した斜視図であり、図示のように保護網４は、適宜の網材によって一体的に形成された短筒部９と上蓋部１０から構成されており、その網目の大きさは、前述のようにアイゴ、イスズミ、ブダイ等の藻食性魚類の侵入を阻止し得る大きさに設定されている。また、短筒部９の直径Ｄｂの大きさは、前記造成用基盤１の直径Ｄａより大きく設定され、それらの保護網４と造成用基盤１の外側面との間に、通用部としてアワビ６等の藻食性の匍匐性水産生物の匍匐進入を許容し、アイゴ、イスズミ、ブダイ等の藻食性魚類の侵入を阻止する間隙が形成されるように構成されている。さらに、短筒部９の高さに関しては、造成用基盤１へ装着した状態において、上蓋部１０の下方に移植用海藻種苗３が生長した場合に十分なスペースが得られるように設定されている。図７は保護網４を造成用基盤１へ装着することにより構成される、本実施例に係る藻場造成用構造物を示した斜視図である。図示のように、保護網４は、造成用基盤１に対して、その下端部が造成用基盤１の下端部より上方に位置し、海底との間に藻食性の匍匐性水産生物が進入できる間隙を設けた状態に装着される。なお、保護網４の造成用基盤１に対する装着の仕方は、例えば保護網４の内側に図示しない適宜の連結部材を３箇所以上突出させておき、それらの連結部材を介して造成用基盤１に固着することにより、所定の通用部をあけて装着することができる。
【実施例２】
【００１０】
図８及び図９は本発明に関する第２実施例を示したもので、図８は本実施例に係る保護網を示した斜視図、図９はその保護網を造成用基盤に装着することにより構成される、本実施例に係る藻場造成用構造物を示した正面図である。本実施例は、図８に示したように保護網１１の高さ方向の途中に段部１２を形成するとともに、その保護網１１を図９に示したように造成用基盤１３の上面に所要数立設した支柱１４を介して支持するように構成した点で特徴を有する。その余の構成においては、前記実施例の造成用基盤１や保護網４と基本的に異なるところはなく、前記造成用基盤１３の外側面と前記保護網１１との間に、通用部としてアワビやサザエなどの藻食性の匍匐性水産生物の匍匐進入を許容し、アイゴ、イスズミ、ブダイ等の藻食性魚類の侵入を阻止する間隙を形成する点でも共通しており、同様の作用効果を奏するものである。
【実施例３】
【００１１】
図１０〜図１２は本発明に関する第３実施例を示したもので、図１０は本実施例に係る造成用基盤を示した斜視図、図１１は本実施例に係る保護網を示した斜視図、図１２はその保護網を前記造成用基盤に装着することにより構成される、本実施例に係る藻場造成用構造物を示した斜視図である。本実施例は、図１０に示したように造成用基盤１５の外側部の上部に開口した通路１６を形成した点で特徴を有する。そして、本実施例の場合には、図１２に示したように造成用基盤１５に対して図１１に示した保護網１７を被せた状態に装着して海底へ沈設するように構成されている。また、造成用基盤１５の外側面と保護網１７との間には、前記実施例と同様に、通用部としてアワビやサザエなどの藻食性の匍匐性水産生物の進入を許容し、アイゴ、イスズミ、ブダイ等の藻食性魚類の侵入を阻止し得る間隙を形成している。したがって、その間隙を介して匍匐性水産生物だけが保護網１７の内部へ匍匐進入した後、前記通路１６を経て容易に造成用基盤１５の上方に到達することが可能である。以上のように、本実施例に場合には、造成用基盤１５の外側面と保護網１７との間隙により藻食性魚類の侵入を阻止し得るように構成しているので、通路１６の大きさは、アワビやサザエなどの藻食性の匍匐性水産生物が進入し得る大きさ以上であれば足りる。
【図面の簡単な説明】
【００１２】
【図１】本発明に関する第１実施例の設置状態を示した説明図である。
【図２】同実施例に係る造成用基盤を示した斜視図である。
【図３】付設前の移植用海藻種苗を拡大して示した斜視図である。
【図４】移植用海藻種苗の柱状体への取付状態を拡大して示した斜視図である。
【図５】移植用海藻種苗の取付後の状態を示した造成用基盤の斜視図である。
【図６】前記実施例に係る保護網を示した斜視図である。
【図７】同実施例に係る藻場造成用構造物を示した斜視図である。
【図８】本発明の第２実施例に係る保護網を示した斜視図である。
【図９】同実施例に係る藻場造成用構造物を示した正面図である。
【図１０】本発明の第３実施例に係る造成用基盤を示した斜視図である。
【図１１】同実施例に係る保護網を示した斜視図である。
【図１２】同実施例に係る藻場造成用構造物を示した斜視図である。
【符号の説明】
【００１３】
１…造成用基盤、２…柱状体、３…移植用海藻種苗、４…保護網、５…海藻、６…アワビ、７…捨石、８…取付バンド、９…短筒部、１０…上蓋部、１１…保護網、１２…段部、１３…造成用基盤、１４…支柱、１５…造成用基盤、１６…通路、１７…保護網
【図１】
0005238151.tif 000002
【図２】
0005238151.tif 000003
【図３】
0005238151.tif 000004
【図４】
0005238151.tif 000005
【図５】
0005238151.tif 000006
【図６】
0005238151.tif 000007
【図７】
0005238151.tif 000008
【図８】
0005238151.tif 000009
【図９】
0005238151.tif 000010
【図１０】
0005238151.tif 000011
【図１１】
0005238151.tif 000012
【図１２】
0005238151.tif 000013